(57)【要約】　　　（修正有）【課題】床面からの支承なしに側面に器具、特に腰掛式便器を取りつけるための器具設置用キャビネットの構造の提供。【解決手段】器具設置空間の脆弱でない横壁に固定部材により固定され、かつ床面にその一辺が当接支持される少なくとも２つのサイドパネルと、このサイドパネル間に懸架固定される連結部材６とこの連結部材に一端が固定され、他端を床面に固定される器具固定部材７とからなる。【選択図】図３
2004033574.tif 000002
【特許請求の範囲】
【請求項１】
器具設置空間の脆弱でない対向する横壁に懸架固定される連結部材と、この連結部材に一端が固定され、他端を床面に固定される器具固定部材とからなる器具設置用キャビネット。
【請求項２】
前記連結部材は、横壁に固定部材により固定されていることを特徴とする請求項１記載の器具設置用キャビネット。
【請求項３】
器具設置空間の脆弱でない横壁に固定され、かつ、床面にその一辺を当接支持される少なくとも２つのサイドパネルと、このサイドパネル間に懸架固定される連結部材と、この連結部材に一端が固定され、他端を床面に固定される器具固定部材とからなる器具設置用キャビネット。
【請求項４】
壁内部の柱に壁を介して固定され、かつ、床面にその一辺を当接支持される少なくとも２つのサイドパネルと、このサイドパネル間に懸架固定される連結部材と、この連結部材に一端を固定され、他端を床面に固定される器具固定部材とからなる器具設置用キャビネット。
【請求項５】
前記サイドパネルと横壁との固定が固定具を介して行われていることを特徴とする請求項３に記載の器具設置用キャビネット。
【請求項６】
前記サイドパネルが床面に固定されていることを特徴とする請求項３乃至５の何れかに記載の器具設置用キャビネット。
【請求項７】
前記器具が衛生陶器であることを特徴とする請求項１乃至６の何れかに記載の器具設置用キャビネット。
【請求項８】
前記サイドパネルの床側先端部が、床内部の根太の上方に位置していることを特徴とする請求項３乃至７記載の何れかに記載の器具設置用キャビネット。
【発明の詳細な説明】
【０００１】
【発明の属する技術分野】
本発明は、床面から離れた器具を取り付けるキャビネット、特に、壁掛式便器を取り付けるためのキャビネットの構造に関する。
【０００２】
【従来の技術】
従来、床面から離れた器具、例えば、壁掛式便器をキャビネットに取り付ける際は部屋の壁裏にある柱間に壁の裏側あるいは表側から補強材を設置し、その補強材に壁掛式便器を取付けたキャビネットを固定する構造が、一般的であったが、補強材が設けられていない部屋（器具設置空間）では、大掛かりな壁の補修工事が必要であった。
【０００３】
そのため、部屋の壁内部にある構造柱を利用して壁の補修工事をしないで、壁掛式便器を設置しようとする提案がなされている。
【０００４】
例えば、特開２０００−２７３９３３は、図１１に示すように壁２００内部の構造柱である管柱２０１に対して壁２００表側からねじ具２０２を斜めに打ち込むことにより固定具２０３を固定後、左右に所定間隔を隔てた固定具２０３にまたがって剛性の補強バー材２０４を架け渡して固定具２０３に固定し、さらに補強バー材２０４に対して壁掛便器を取付けたキャビネットを固定している。壁表側からの施工は前記壁裏側からの施工より容易に行えるという利点はあった。しかし、この取り付け構造ではキャビネットの荷重が補強バーを介して、設置器具（便器）の取付け面である後ろ側から前側に向かう水平方向の力が管柱に大きくかかる構造となっていた。
【０００５】
【発明が解決しようとする課題】
このように特開２０００−２７３９３３の構造では固定具２０３は床から離れた状態で管柱２０１に固定されているので、腰掛式便器を取付けたキャビネットの荷重は管柱を水平方向に大きく引っ張る構造となっていた。従って、キャビネットを支えるためには管柱自体を高強度にする必要があり、設置条件が限られ、全ての建物に対応できないという問題点があった。
【０００６】
本発明は、上記課題を解決するためになされたもので、本発明の目的は建物等の躯体側の構造に寄らず、床面から離れた器具を取り付けたキャビネット、特に、重量のある壁掛式便器を取り付けたキャビネットを確実に壁面に設置するキャビネット構造を提供することにある。
【０００７】
【課題を解決するための手段】
上記目的を達成するために請求項１は、器具設置空間の脆弱でない対向する横壁に懸架固定される連結部材と、この連結部材に一端が固定され、他端を床面に固定される器具固定部材とからなる器具設置用キャビネットとした。
【０００８】
本発明によれば、器具の荷重は、器具固定部材から連結部材を介して、器具設置空間の横壁全体に全体に分散されるため、従来のように建物の一部に荷重が集中し、その部分の劣化を防ぐことができる。すなわち、器具の荷重は、固定部および連結部を介して、横壁に伝達されるが、横壁は、石膏ボードのように脆弱な構造体でなく、自身の強度で器具の荷重に耐え、水平方向には変形せず、器具の荷重は水平方向の応力から床面側への垂直下方向の応力に変換され伝達される。脆弱ではないとは、石膏ボードのように脆いものではないことを指し、壁材とした、通常利用される合板のように強度のある材質のもの指す。一方、壁面は壁の裏側に位置する柱（通し柱や管柱などの構造柱である隅柱）に固定されているので、その応力は柱の垂直方向に伝わる。従って、応力は柱の一部分ではなく、柱の垂直方向全体に作用し、その応力は分散するので、床面から離れた器具を取り付けたキャビネットを施工することができる。よって、壁裏面に補強を入れなくても強度を保てるので、壁裏補強の工事を伴うこと無く、床面から離れた器具を取り付けたキャビネットを容易に壁表面から施工を行うことができる。
【０００９】
請求項２では、前記連結部材は、横壁に固定部材により固定させることで、より信頼性の高い構造を提供できる。固定部材としては、Ｌ字状の金具、Ｌ字の内側面に連結部材を載置させても良いが、固定面積を確保でき、より信頼性を高めるために、数センチ程度の厚みを持った板利用して、その上端面部に連結部材を載置固定してもよい。
【００１０】
請求項３では、器具設置空間の脆弱でない横壁に固定され、かつ、床面にその一辺が当接支持される少なくとも２つのサイドパネルと、このサイドパネル間に懸架固定される連結部材と、この連結部材に一端が固定され、他端を床面に固定される器具固定部材とからなる器具設置用キャビネットとした。
【００１１】
本発明によれば、器具の荷重は、サイドパネルとそれが固定されている器具設置空間の横壁全体に全体に分散されるため、従来のように建物の一部に荷重が集中し、その部分の劣化を防ぐことができる。すなわち、器具の荷重は、固定部および連結部を介して、サイドパネルに伝達されるが、サイドパネルは、自身の強度で器具の荷重に耐え、水平方向には変形せず、器具の荷重は水平方向の応力からサイドパネル床面に接している前側部分への垂直下方向の応力に変換され、壁面に伝達される。一方、壁面は壁の裏側に位置する柱に固定されているので、その応力は柱の垂直方向に伝わる。従って、応力は柱の一部分ではなく、柱の垂直方向全体に作用し、その応力は分散するので、床面から離れた器具を取り付けたキャビネットを施工することができる。よって、壁裏面に補強を入れなくても強度を保てるので、壁裏補強の工事を伴うこと無く、床面から離れた器具を取り付けたキャビネットを容易に壁表面から施工を行うことができる。
【００１２】
請求項４では、壁内部の柱に壁を介して固定され、かつ、床面にその一辺が当接支持される少なくとも２つのサイドパネルと、このサイドパネル間に懸架固定される連結部材と、この連結部材に一端を固定され、他端を床面に固定される器具固定部材とからなる器具設置用キャビネットとした。
【００１３】
本発明によれば、器具設置空間の横壁が、合板などの強度のある壁材でなく、石膏などの脆弱な構造体であった場合にも、サイドパネルが横壁内部の柱に固定されるため、荷重は、サイドパネル全体及びサイドパネルを固定している柱で受けることになり、特に、荷重の多くは、サイドパネルの床面に当接している一辺の設置器具側の先端部分を支点にして、柱の垂直方向全体に作用し、変換されるため、上記発明同様荷重の集中を防ぐことができる。
【００１４】
請求項５では、前記サイドパネルと横壁の固定が固定具を介して行われるようにした。サイドパネルの固定を固定部材、例えば、木ねじ等で行っているので、サイドパネルと固定面が木ねじ等が接するだけの小さな面積の接触であっても確実に固定することができる。従って、固定面の形状はサイドパネル形状に大きな影響を与えないので、設計の自由度を向上させることができる。
【００１５】
請求項６では、前記サイドパネルを床面に固定した。器具設置用キャビネットを設置した床面は、コンクリート上に床材を貼付したものや補強のための柱である根太が通って大きな荷重を支えられる構造となっているので、例えば、サイドパネルを横壁とは、離間させて設置した場合でも、サイドパネルは強固な床に設置されているため、サイドパネル前側にかかる垂直下方向の応力は床接触面を支点にサイドパネルの後側で固定されている柱の垂直方向に伝達され、荷重を分散させることができることは、上記したとおりである。
【００１６】
請求項７では、前記器具が衛生陶器とした。本発明のキャビネット構造は部屋全体に分散する形状となっているので、器具自体の荷重に加え、使用者の荷重が加わった大きな荷重がかかる壁掛式大便器の設置に非常に有効な構造となっている。
【００１７】
請求項８では、前記サイドパネルの床側先端部が、床内部の根太に位置していることを特徴とした。本発明は、器具の荷重が最も掛かるサイドパネルの床側先端部の位置を強度の高い根太の上に位置させることで、より信頼性の高い構造を提供できる。また、前記先端部の位置は、器具の固定位置より前面位置にある方が、サイドパネル自体で荷重を受けることができ、柱への負荷が小さくてすむので、固定位置より前側にある根太に位置させることが望ましい。
【００１８】
【発明の実施の形態】
以下図面に沿って発明内容を説明する。
図１は、本発明に係る一実施形態を示したキャビネット１の概略図、図２は、図１における中央断面図、図３は、図２におけるＬ−Ｌ断面図、図４は、図３におけるＭ−Ｍ断面図、図５は、図３におけるＮ−Ｎ断面図、図６は、図３におけるＯ−Ｏ断面図を示す。
図１は、床８より離れた状態で便器９がキャビネット１に設置されている射影図である。キャビネット１は、図２、図３に示すように前部パネル２、上部パネル３、サイドフレーム５、連結部材６および器具固定部材としての便器固定部７より構成されている。便器固定部７は、部屋の略中央部に便器が設置されるように、連結部材６の一端を固定し、他端を床面に支持部材７ｂにより固定されている２本のアーム７ａで構成されている。便器は、後方に配管などを連結するためにスペースが必要なため、２本のアーム構造にしているが、棚や収納箱などを固定する際には、１枚の板状のものでも、１本のアームでも構わない。また、サイドフレーム５は、図４に示すように横壁４を介して、複数の木ねじ１０にて部屋の隅に位置する隅柱１１に固定されている間柱１２に固定されている。また、連結部材６は、図５および図６に示すようにサイドフレーム５や便器固定部７にボルト１３、１４にて固定されている。
【００１９】
尚、上記実施例では、壁材の材質に影響されないで、より信頼性の高い構造として、サイドパネルを利用した例を示したが、横壁が脆弱でない合板のようなものであれば、連結部材を直接壁に木ねじ等で固定しても構わない。更に、連結部材の固定に当たっては、固定部材を介して、固定してもよく、例えば、断面Ｌ字上の連結部と略同じ幅の金具を利用しても良いし、上記実施例のサイドパネルを床面に当接させない位置までのものを利用しても良い。後者の固定部材は、壁面との固定（接触）面積があるので、木ねじなどの固定具で過重を支えることに加えて接触部分での摩擦力によっても荷重の一部を支えることができるので望ましい。
【００２０】
次に、便器９にかかった荷重の伝わり方について図７にて説明する。
図７は、図３におけるＰ−Ｐ断面図であり、便器９にかかった荷重Ｆのキャビネット１への伝わり方を示す概略図を示している。荷重Ｆは便器固定部７、連結部材６を通じ、サイドフレーム５に水平方向の応力Ｆ１および垂直方向の応力Ｆ２として伝達される。また、サイドフレーム５は強度があり、変形しないので、応力Ｆ１はサイドフレーム５の床側の前面と床８が接する接触点１６を支点とし、回転しようとする。このため応力Ｆ１はサイドフレーム５の後部に伝わる際に水平方向の応力Ｆ１ａおよび垂直方向の応力Ｆ１ｂに分解される。
図４において、応力Ｆ１ａおよび応力Ｆ１ｂはサイドフレーム５と連結されている横壁４および間柱１２に伝わるが、その固定部材である木ねじ１０は応力Ｆ１ａおよび応力Ｆ１ｂの方向に対して、いずれも垂直方向に止められている。従って、これらの応力は木ねじ１０に対して横方向、即ち、せん断方向にかかるので、木ねじ１０が抜けることなく、サイドフレーム５と間柱１２を確実に固定することができる。
応力Ｆ１ａは間柱１２を水平に曲げる方向にかかる力であるが、複数の木ねじ１０にて止められており、応力Ｆ１ａの力を分散するので、間柱１２は局部的な変形を最小限に抑えることができる。また、Ｆ１ｂは間柱１２の垂直上部方向にかかる力であり、Ｆ１ｂは間柱１２全体にかかるので、間柱１２は局部的な変形を起こすことはない。
【００２１】
一方、床８は、比較的強度の高い状態で施工されている。例えば、コンクリート面に床材を貼付したものや、数本の根太などの補強材１５によって強化されている。したがって、サイドフレーム５と床８が接する接触点１６における床の強度は十分ある。このため、応力Ｆ２がかかってもキャビネット１が変形することはない。なお、前記接触点１６の下方に根太を位置させるようにすることが、信頼性を更に高める点で望ましい。
【００２２】
このように便器９にかかった荷重Ｆはトイレルーム１７全体で受けるので、部分的な変形を起こすことなく、トイレルーム１７の表側からの施工が可能となり、床８より離れた状態で便器９がキャビネット１に設置することができる。
【００２３】
また、間柱１２にかかる力は応力Ｆ１ａおよび応力Ｆ１ｂ分散されているので、応力Ｆ１ａの力を小さくすることで木ねじ１０の本数を少なくすることができ、最低１本でも良い。例えば、サイドフレーム５の奥行きを大きくすればサイドフレーム５自体が耐える強度を小さくすることができ、その結果応力Ｆ１ａ、応力Ｆ１ｂも小さくすることができる。例えば、便器９の長さ６０ｃｍの位置に１００ｋｇｆの荷重がかかったとするとその応力は６０００ｋｇｆ・ｃｍとなる。サイドフレーム５にも同様の応力がかかるが、その奥行きが１５ｃｍの場合は４００ｋｇｆの荷重に耐える必要があるが、３０ｃｍの場合は２００ｋｇｆの荷重に耐えるだけでよい。
【００２４】
なお、木ねじ１０を間柱１２ではなく、隅柱１１に直接止めてもせん断の力を利用することができるのでこのように止めても良い。
【００２５】
一方、木ねじ１０が間柱１２だけでなく、後壁の裏側にある間柱２０に同時に固定すると垂直方向にかかる力は更に分散されるので、耐強度があがり、より重い便器を使用することもできる。
【００２６】
尚、脆弱でない横壁に直接連結部材を固定した場合の荷重の伝わり方も同様である。即ち、横壁は、構造柱である通し柱や管柱などの間に固定され、また、床面側も根太や桟などの構造柱上に敷設されるため、横壁を大きなサイドパネルとしてみればよい。
【００２７】
図８に、第一実施形態の変形例を示したキャビネット１０１の概略図、図９は図８におけるＱ−Ｑ断面図、図１０は図９におけるＲ−Ｒ断面図を示す。
キャビネット１０１内の木製の連結部材１０６は、図８、９に示すように便器１０９の上面とほぼ同等の高さ位置に取り付けられており、木製のサイドパネル１０５に木ねじ１１０ａで止められている。また、サイドパネル１０５は木製の横壁１０４と木ねじ１１０ｂにて固定され、横壁１０４は釘１３１にて部屋の柱１１２に固定されている。なお、柱１１２は部屋の隅だけでなく、部屋の裏側にあるものを示すもので、横壁１０４は部屋の裏側に位置する全ての柱１１２に固定されている。
このようにサイドパネル１０５が直接柱１１２に固定されていなくても横壁１０４は柱１１２に固定されているので、サイドパネル１０５は便器１０９にかかった荷重を部屋全体に分散できる。従って、第一実施例と同様にトイレルームの表側からの施工が可能となり、床より離れた状態で便器１０９がキャビネット１０１に設置することができる。
【００２８】
また、連結部材６は木製であるので、トイレルームの巾にあわせて容易に切断することができる。
【００２９】
一方、サイドパネル５と横壁４の固定に木ねじ１０を使用せずに接着剤を用いた構造でも良い。接着剤を用いたサイドパネル５と横壁４の固定では、接着剤の摩擦力により十分に強度のある状態で固定されている。
【００３０】
以上に本発明の実施例を説明したが、本実施例は一例示であり、床面から離れた器具が収納スペースを持つ収納箱等でも適用可能なものである。
連結部材６の材質が分割された金属製であり、トイレルームの巾にあわせて、それぞれの金属に開けられた長穴にて調整する方法等を用いるなど、本発明はその主旨を逸脱しない範囲において種々の変更を加えた形態で構成可能である。
【００３１】
更に、本発明は、戸建て住宅などの木造建築に限らず、マンションなどの鉄筋の構造柱を持つ構造のものにも適用できるものである。
【図面の簡単な説明】
【図１】本発明に係る一実施形態を示したキャビネット１の概略図である。
【図２】図１における中央断面図である。
【図３】図２におけるＬ−Ｌ断面図である。
【図４】図３におけるＭ−Ｍ断面図である。
【図５】図３におけるＮ−Ｎ断面図である。
【図６】図３におけるＯ−Ｏ断面図である。
【図７】図３におけるＰ−Ｐ断面図である。
【図８】第一実施形態の変形例を示したキャビネット１０１の概略図である。
【図９】図８におけるＱ−Ｑ断面図である。
【図１０】図９におけるＲ−Ｒ断面図である。
【図１１】従来の実施例である。
【符号の説明】
１…キャビネット
２…前部パネル
３…上部パネル
４…横壁
５…サイドフレーム
６…連結部材
７…便器固定部材
８…床
９…便器
１０…木ねじ
１１…隅柱
１２…間柱
１３、１４…ボルト
１５…補強材
１６…サイドフレーム５と床８が接する接触点
１７…トイレルーム
１３１…釘
Ｆ…便器９にかかった荷重
Ｆ１…水平方向の応力
Ｆ２…垂直方向の応力
Ｆ１ａ…Ｆ１の水平方向応力
Ｆ１ｂ…Ｆ１の垂直方向応力
【図１】
2004033574.tif 000003
【図２】
2004033574.tif 000004
【図３】
2004033574.tif 000005
【図４】
2004033574.tif 000006
【図５】
2004033574.tif 000007
【図６】
2004033574.tif 000008
【図７】
2004033574.tif 000009
【図８】
2004033574.tif 000010
【図９】
2004033574.tif 000011
【図１０】
2004033574.tif 000012
【図１１】
2004033574.tif 000013